(57)【要約】      （修正有）【課題】使用者による操作数の負担を軽減することが可能な情報提示制御装置及び情報提示制御方法を提供する。【解決手段】情報提示制御装置は、被制御機器の表示部に表示された画面を操作端末によって操作する情報提示制御装置であって、操作端末は、少なくとも２種類以上の異なる操作検知部を持つＮ（Ｎは２以上の整数）個の感知部と、感知部の操作検知部で感知された操作内容を示す信号を送信する送信部と、を備え、被制御機器は、信号を受信する受信部と、受信した信号から操作内容を解析する操作解析部と、操作解析部の解析結果に基づき、被制御機器の内部状態を変更する内部状態制御部と、操作解析部の解析結果に基づき、表示部に次に表示すべき情報を感知部の個数と配列に割り当てた画面として作成する画面生成部と、を備える。【選択図】図２
2012043111.tif 000002
【特許請求の範囲】
【請求項１】
被制御機器の表示部に表示された画面を操作端末によって操作する情報提示制御装置であって、
前記操作端末は、
少なくとも２種類以上の異なる操作検知部を持つＮ（Ｎは２以上の整数）個の感知部と、
前記感知部の前記操作検知部で感知された操作内容を示す信号を送信する送信部と、
を備え、
前記被制御機器は、
前記信号を受信する受信部と、
受信した前記信号から操作内容を解析する操作解析部と、
前記操作解析部の解析結果に基づき、前記被制御機器の内部状態を変更する内部状態制御部と、
前記操作解析部の解析結果に基づき、前記表示部に次に表示すべき情報を前記感知部の個数と配列に割り当てた画面として作成する画面生成部と、
を備えることを特徴とする情報提示制御装置。
【請求項２】
操作検知部は、押下操作を検知する押下操作検知部と、圧力操作を検知する圧力操作検知部であることを特徴とする請求項１に記載の情報提示制御装置。
【請求項３】
前記操作解析部において、前記操作内容が前記押下操作検知部からの操作内容であると解析された場合は、前記内部状態制御部は前記操作内容に対応する項目を決定した状態に更新し、
前記操作解析部において、前記操作内容が前記圧力操作検知部からの操作内容であると解析された場合は、前記内部状態制御部は前記操作内容に対応する項目を選択した場合の詳細内容を取得し、前記画面生成部は前記詳細内容を前記感知部の個数と配列に割り当てた拡大表示画面として作成する、ことを特徴とする請求項２に記載の情報提示制御装置。
【請求項４】
被制御機器の表示部に表示された画面を操作端末によって操作する情報提示制御装置における情報提示制御方法であって、
前記操作端末は、
少なくとも２種類以上の異なる操作検知部を持つＮ（Ｎは２以上の整数）個の感知部から操作内容を取得するステップと、
前記操作内容を示す信号を送信するステップと、
を有し、
前記被制御機器は、
前記信号を受信するステップと、
受信した前記信号から操作内容を解析するステップと、
前記解析結果に基づき、前記被制御機器の内部状態を変更するステップと、
前記解析結果に基づき、前記表示部に次に表示すべき情報を前記感知部の個数と配列に割り当てた画面として作成するステップと、
を有することを特徴とする情報提示制御方法。
【発明の詳細な説明】
【技術分野】
【０００１】
本発明は情報提示制御装置および情報提示制御方法に関し、特に、表示装置に表示される大量の情報を効率的に閲覧や選択を行うことが可能な情報提示制御装置および情報提示制御方法に関するものである。
【背景技術】
【０００２】
従来、任意のＮ個（Ｎは２以上の整数）の感知部の操作によるメニュー画面や画像・映像などのサムネイル表示画面やテレビ番組の電子番組表画面の操作において、選択項目を感知部の個数に絞り込んで表示する情報提示制御装置が提案されている（例えば、特許文献１参照）。
【先行技術文献】
【特許文献】
【０００３】
【特許文献１】国際公開第２００５／０２２９４４号
【発明の概要】
【発明が解決しようとする課題】
【０００４】
しかしながら、上記従来の情報提示制御装置では、操作端末のＮ個の感知部に割り当てられる選択項目の表示が画面上でＮ分割されるため、各項目の詳細内容の表示は省略されることが多く、使用者が各項目の詳細内容を知るためには、その項目を選択する、あるいは目的の感知部とは異なる感知部に対しての特定の操作により詳細内容を提示させる必要があり、操作数の増加によって使用者への負担が増大してしまうという問題があった。
【０００５】
本発明は、上記従来技術の課題を解決するもので、使用者による操作数の負担を軽減することが可能な情報提示制御装置及び情報提示制御方法を提供することを目的とする。
【課題を解決するための手段】
【０００６】
本発明の情報提示制御装置は、少なくとも２種類以上の異なる操作検知手段を持つＮ（Ｎは２以上の整数）個の感知部と、Ｎ個の感知部の操作により任意の命令を送信する送信部と、を備える操作端末と、操作端末の送信部から送信される任意の命令を受信する受信部と、受信した命令に基づき対応する処理を実行する操作解析部と、操作解析部による処理の結果に基づき内部状態を変更する内部状態制御部と、次に表示する操作内容を操作端末の感知部の個数と配列に割り当てた画面を生成する画面生成部と、画面生成部により生成された画面を表示する表示部と、を備える被制御機器と、から構成されることを特徴とする。
【０００７】
操作端末の各感知部が２種類以上の操作検知手段を持つことにより、一度の感知部に対する使用者の操作により２種類以上の操作を検出することが可能となり、より少ない操作数で使用者が欲する情報を提示することができる。
【発明の効果】
【０００８】
本発明によれば、被制御機器が提示する選択項目に対応する操作端末の感知部のみの操作により、使用者の操作回数の低減と効果的な情報表示ができ、使用者の操作の負担を軽減できる。
【図面の簡単な説明】
【０００９】
【図１】本発明の実施の形態１における情報提示制御装置の概略を示す図
【図２】本発明の実施の形態１における情報提示制御装置の構成を示す図
【図３】本発明の実施の形態１における操作端末での操作内容に連動した被制御機器の画面制御処理を示すフローチャート
【図４】本発明の実施の形態１における被制御機器の表示部に表示される画面の遷移を説明する図
【図５】本発明の実施の形態１における被制御機器の表示部に表示される画面の詳細内容が拡大表示された状態を説明する図
【図６】本発明の実施の形態１における被制御機器の表示部に表示される画面の詳細内容が拡大表示された状態での項目選択を説明する図
【発明を実施するための形態】
【００１０】
以下本発明の実施の形態について、図面を参照しながら説明する。
【００１１】
（実施の形態１）
図１は、本発明の実施の形態１における情報提示制御装置の全体構成（概略）を示す図である。図１に示すように、本発明における情報提示制御装置は、被制御機器として映像装置（テレビジョン）１０１、また操作装置として映像装置にリモコン信号を送信できるリモートコントローラー１０２とから構成される。また、１０３はリモートコントローラー１０２の感知部の一部の拡大図である。この拡大図中、１０４は押下操作を検知する手段（押下操作検知手段）であるボタン装置であり、ボタン装置１０４の上面にはボタンを表す文字または記号が記されていても良いし、記されていなくても良い。また、ボタン装置１０４の上面には半透明のタッチセンサ１０５が設置されている。タッチセンサ１０５のセンシング方式は感圧式や静電容量を計測する方式など一般的な装置で良く、使用者の操作の圧力がかかる位置を検知する手段（圧力操作検知手段）である。
【００１２】
図２は、本発明の実施の形態１における情報提示制御装置の構成を示す図である。図２に示すように、情報提示制御装置は、操作端末２０１と、被制御機器２０２から構成される。本実施の形態においては、操作端末２０１がリモートコントローラー１０２、被制御機器２０２が映像装置１０１である場合を例として説明する。
【００１３】
操作端末２０１は、使用者の操作を感知する操作感知部２０３と、感知した操作内容を被制御機器２０２に送信する送信部２０４からなり、操作感知部２０３は操作端末２０１上にＮ個（Ｎは２以上の整数）配置されている。本実施の形態では、Ｎを９とし、またその配置形状は縦×横にそれぞれ３個ずつ配置されている場合を例とするが、Ｎは９以上でも９未満でも良いし、配置方法も３×３以外でも良い。操作感知部２０３には２種類以上の検知手段が備えられている。本実施の形態では、検知手段をボタン装置１０４（押下操作検知手段）とタッチセンサ１０５（圧力操作検知手段）の２種類とし、それぞれ第１検知部２０５、第２検知部２０６とするが、それ以上のセンサを備えても良いし、ボタン装置１０４とタッチセンサ１０５以外のセンサの組み合わせでも良い。
【００１４】
被制御機器２０２は、被制御機器２０２を操作するための情報を使用者に提示するための表示部２０７と、操作端末２０１の送信部２０４より送信される操作内容を受信する受信部２０８と、受信した操作内容を解析する操作解析部２０９と、解析された操作内容に基づいて被制御機器２０２の内部状態を更新する内部状態制御部２１０と、被制御機器２０２の内部状態を格納する内部状態格納部２１１と、更新された内部状態に基づいて次に表示部２０７に出力する画面構成を生成する画面生成部２１２と、画面を生成するための部品を格納する画面部品格納部２１３と、から構成される。
【００１５】
以下、本実施の形態にかかる画面制御について図３から図６を用いて詳述する。図３は、操作端末２０１での使用者の操作内容に連動した被制御機器２０２の画面制御処理を示すフローチャートである。図４から図６は、被制御機器２０２の表示部２０７に表示される画面の例である。
【００１６】
まず、被制御機器２０２の表示部２０７には、図４の画面４０１に示すような３×３の操作端末２０１の操作感知部２０３の配置に連動する選択項目を示す画面が表示されている。画面４０１には、初期状態で１〜９の各ボタンに割り当てられる選択項目が示されている。画面４０１が表示されている状態において、例えば、使用者が操作端末２０１の「１」に触れた（タッチした）場合について説明する。使用者が操作端末２０１の「１」に触れると第２検知部２０６のタッチセンサによって操作感知部２０３はタッチしたことを検出し、送信部２０４は「「１」にタッチしている状態である」という操作内容をリモコン信号として送信する。被制御機器２０２の受信部２０８は、リモコン信号としてこの操作内容を受信する（ステップＳ３０１で「Ｙｅｓ」）。次に、操作解析部２０９により操作内容が解析されるが、この操作内容はボタン押下操作でなく（ステップＳ３０２で「Ｎｏ」）、また指を離したという操作でもないため（ステップＳ３０４で「Ｎｏ」）、処理はステップＳ３０６に進む。画面４０１は初期状態であって選択項目が拡大表示されていない状態であるため（ステップＳ３０６で「Ｎｏ」）、処理は次のステップＳ３０８に進む。ステップＳ３０８において操作内容が第２検知部２０６にタッチしている状態であることが判定され（ステップＳ３０８で「Ｙｅｓ」）、この判定結果に基づいて、内部状態制御部２１０が現在使用者によりタッチされている「１」を選択した場合の詳細内容を内部状態格納部２１１から抽出し、画面生成部２１２に出力する。画面生成部２１２は伝達された詳細内容に基づき画面部品格納部２１３から必要となる画面部品を抽出し、詳細内容の拡大表示画面を表示部２０７に出力する（ステップＳ３１０）。前記処理の結果、図４の画面４０２に示すように「１」の詳細内容が表示され、他の選択項目は縮小されて表示される。また、画面４０３に示すように他の選択項目は縮小されず、「１」の詳細内容が他の選択項目の上に重なるように拡大されて表示することも可能である。また、拡大表示は全画面にまで拡大しても良い。また、図５の画面５０１や画面５０２のように、「１」を選択した場合にさらに次の階層の選択項目が存在する場合には、その９分割の選択項目の詳細を表示しても良い。
【００１７】
次に、「１」にタッチして選択項目の詳細内容が拡大表示された状態（例えば図５の画面５０１の状態）で、使用者が操作端末２０１の「１」を押下すると、第１検知部２０５のボタンによって操作感知部２０３はボタンを押下したことを検出し、送信部２０４は「「１」が押下した状態である」という操作内容をリモコン信号として送信する。被制御機器２０２は、受信部２０８においてリモコン信号を受信し（ステップＳ３０１で「Ｙｅｓ」）、操作解析部２０９において操作内容を解析する。「１」が押下されているため（ステップＳ３０２で「Ｙｅｓ」）、選択項目「１」が決定されたという解析結果に基づき、内部状態制御部２１０は内部状態を選択項目「１」が決定された状態に更新し、さらに次の階層の選択項目が存在すれば、図４の画面４０１に示すような操作端末２０１の操作感知部２０３の配置に連動する項目選択画面を生成することを画面生成部２１２に伝達する。画面生成部２１２は次の画面を生成し表示部２０７に出力する。
【００１８】
一方、「１」にタッチして選択項目の詳細内容が拡大された状態（例えば図５の画面５０１の状態）で、使用者が操作端末２０１の「１」から指を離すと、第２検知部２０６のタッチセンサによって操作感知部２０３は指を離したことを検出し、送信部２０４から「「１」から指が離れた状態である」という操作内容を送信する。被制御機器２０２は操作解析部２０９において指が離れたことが解析されているため（ステップＳ３０４で「Ｙｅｓ」）、内部状態制御部２１０は画面を初期状態（図４の画面４０１の状態、すなわち「１」をタッチする前の状態）に戻すことを画面生成部２１２に伝達し、画面生成部２１２は初期状態の画面を生成し表示部２０７に出力する。
【００１９】
さらに、第２検知部２０６のタッチセンサは一般的にタッチしている座標を取得できるので、「１」にタッチして選択項目の詳細内容が拡大された状態（例えば図５の画面５０１の状態）で、使用者が操作端末２０１の「１」に指を触れたまま「１」の操作感知部２０３上で任意の方向に指を移動させると、第２検知部２０６のタッチセンサにより指が触れている座標を検出し、検出した座標を操作内容として送信部２０４から送信する。被制御機器２０２は、操作解析部２０９において選択項目の詳細内容が拡大された状態であって（ステップＳ３０６で「Ｙｅｓ」）、かつ前回の操作内容受信時から受信した座標が変化していると判断されるため（ステップＳ３０７で「Ｙｅｓ」）、図６の画面６０１に示すように拡大表示している内容の選択項目において、タッチしている座標の変化方向の選択項目の詳細内容、または、図６の画面６０２に示すように、移動先の選択項目を選択した場合に展開されるさらに下の階層の選択項目を表示することも可能である。
一般的なリモートコントローラーでの操作では例えばある選択項目の詳細内容を表示して確認するには複数回のボタン押下操作が必要となるが、かかる構成によればボタンに触れるだけで目的の選択項目の詳細情報が表示されるため、詳細内容を表示するための追加の操作が不必要となり、またボタン押下操作の回数を削減することができ、使用者の肉体的負荷や精神的負荷を低減することができる。
【産業上の利用可能性】
【００２０】
本発明では、ボタン等の操作部が少ない操作端末を用いて、被操作機器が大量に持つ情報の詳細内容を使用者に負荷の少ない操作方法と操作回数で提示することができる。
【００２１】
上記のテレビジョン以外にも、多くの機能を有し、大量の情報を格納している各種制御機器（オーディオ機器、録画再生機器、デジタルスチルカメラ、デジタルビデオカメラ等）においても、表示装置への画面出力機能を有すものであればこの適用が考えられる。
【符号の説明】
【００２２】
１０１    映像装置
１０２    リモートコントローラー
１０４    ボタン装置
１０５    タッチセンサ
２０１    操作端末
２０２    被制御機器
２０３    操作感知部
２０４    送信部
２０５    第１操作検知部
２０６    第２操作検知部
２０７    表示部
２０８    受信部
２０９    操作解析部
２１０    内部状態制御部
２１１    内部状態格納部
２１２    画面生成部
２１３    画面部品格納部
【図１】
2012043111.tif 000003
【図２】
2012043111.tif 000004
【図３】
2012043111.tif 000005
【図４】
2012043111.tif 000006
【図５】
2012043111.tif 000007
【図６】
2012043111.tif 000008